(57)【要約】【課題】側方や後方の視界を確保することができる防虫カバー及び防虫服を提供すること。【解決手段】頭部１０１、透明板１０２及び防虫カバー本体１０３からなる防虫カバー１０４であって、透明板１０２は、人の目の高さに対応させて、円筒状に形成されており、人の視界を３６０°確保したことを特徴とする防虫カバー１０４を提供する。【選択図】図１
2004204390.tif 000002
【特許請求の範囲】
【請求項１】
人の視界を確保する透明板と、前記透明板の上方に位置する頭部と、前記透明板の下方に位置する防虫カバー本体と、を備え、人の顔及び頭を覆う防虫カバーであって、
前記透明板は、円筒状に形成されていることを特徴とする防虫カバー。
【請求項２】
前記透明板は、着脱自在にされていることを特徴とする請求項１に記載の防虫カバー。
【請求項３】
前記防虫カバー本体又は前記頭部の少なくとも何れか一方は、ネット材又はメッシュ材により形成されていることを特徴とする請求項１又は２に記載の防虫カバー。
【請求項４】
前記防虫カバー本体は、前面がネット材又はメッシュ材により形成されており、背面が防水布により形成されていることを特徴とする請求項３に記載の防虫カバー。
【請求項５】
前記防虫カバーの頭頂部には、ヘルメットに嵌合する貫通孔が設けられていることを特徴とする請求項３又は４に記載の防虫カバー。
【請求項６】
前記防虫カバーの貫通孔側の縁部は、伸縮性を有する素材で形成されており、ヘルメットに嵌合させた際に、ヘルメットと前記防虫カバーとの間に隙間が生じないようにしたことを特徴とする請求項５に記載の防虫カバー。
【請求項７】
前記頭部は、第一の頭部及び第二の頭部の二重にされており、前記第一の頭部と第二の頭部の前記貫通孔の側を開放しておくことで、ヘルメットの鍔を前記第一の頭部と前記第二の頭部の間に挟み込むことができるようにしたことを特徴とする請求項３乃至６の何れか一項に記載の防虫カバー。
【請求項８】
請求項１乃至７の何れか一項に記載された防虫カバーを有する防虫服。
【請求項９】
前記防虫カバーを着脱自在に取付けることができるようにしたことを特徴とする請求項８に記載の防虫服。
【発明の詳細な説明】
【０００１】
【発明の属する技術分野】
本発明は、防虫カバー及び防虫服に関する。
【０００２】
【従来の技術】
従来の防虫カバー及び防虫服は、特開平１０−９６１０８号公報に記載されているように、人の目の高さに対応する位置に矩形状の透明板を取付けることにより、視界を確保していた。
【０００３】
【特許文献１】
特開平１０−９６１０８号公報
【０００４】
【発明が解決しようとする課題】
しかしながら、人の目の高さに対応する位置に矩形状の透明板を取付けただけでは、側方や後方の視界を確保することができず、例えば、目だけを動かして側方等を確認することはできなかった。
【０００５】
そこで、本発明は、側方や後方の視界を確保することができる防虫カバー及び防虫服を提供することを目的とする。
【０００６】
【課題を解決するための手段】
以上の課題を解決するため、本発明は、人の視界を確保する透明板と、前記透明板の上方に位置する頭部と、前記透明板の下方に位置する防虫カバー本体と、を備え、人の顔及び頭を覆う防虫カバーであって、前記透明板は、円筒状に形成されていることを特徴とする防虫カバーを提供する。
【０００７】
このように、人の目の高さに対応させて、人を中心として３６０°取り囲むようにして円筒状に透明板を備えることにより、側方及び後方の視界を確保することができる。
【０００８】
透明板は、樹脂製の透明シートを用いることで軽量化を図ることができ、また、紫外線を防止する機能を有する透明シートを用いることにより、紫外線から目を保護することができる。
【０００９】
また、この透明板については、着脱自在にしておくことで、汚れや傷により視界が妨げられるようになった場合に容易に交換することができる。
【００１０】
例えば、ファスナー等を利用することで透明板を着脱自在にすることができる。
【００１１】
防虫カバー本体又は頭部の少なくとも何れか一方をネット材又はメッシュ材により形成することで、夏などの暑いときであっても快適に防虫カバーを使用することができる。
【００１２】
ここで、ネット材については、虫の進入を防止することができる程度の細かさで編み込まれているものである必要がある。
【００１３】
同様に、メッシュ材については、虫の進入を防止することができる程度の細かさの孔が空いているものである必要がある。
【００１４】
また、この防虫カバー本体については、前面をネット材により形成し、背面を防水布により形成することで、前面のネット材で通気性を確保し、背面の防水布により雨が降った場合等の防水性を確保することができる。
【００１５】
防虫カバーの頭頂部には、ヘルメットに嵌合する貫通孔を設けておくことにより、既存品であるヘルメットを使用することができ好適である。
【００１６】
また、防虫カバーの貫通孔側の縁部は、伸縮性を有する素材で形成することで、ヘルメットに嵌合させた際に、ヘルメットに密着するようにすることができる。
【００１７】
さらに、防虫カバーの頭部は、第一の頭部と第二の頭部との二重にしておき、これらの第一の頭部と第二の頭部の貫通孔側を開放しておくことで、ヘルメットの鍔をこの第一の頭部と第二の頭部との間に挟み込むことができるようにすることもできる。
【００１８】
以上に記載した防虫カバーは、防虫服の一部として提供することができる。
【００１９】
また、このように防虫服の一部として提供する場合には、以上に記載した防虫カバーを、例えばファスナー等により着脱自在にしておくことで、必要のないときには防虫カバーを取り外しておくことができ、好適である。
【００２０】
【発明の実施の形態】
図１は、本発明の一実施形態に係る防虫服１００の上方斜視図である。
【００２１】
防虫服１００は、頭部１０１、透明板１０２、防虫カバー本体１０３とからなる防虫カバー１０４と、防虫服本体１０５と、により構成されている。
【００２２】
透明板１０２は、透明の樹脂製で円筒状に形成されており、防虫カバー１０２を被った人の視界を３６０°確保するようにされている。
【００２３】
透明板１０２は、少なくとも人の視界を３６０°確保するために円筒状に形成されていればよいが、本実施形態では、円筒状に形成された透明板１０２の下端部１０２ａが人の肩にまで達するように形成されており、透明板１０２の高さＸは、人の肩から目の高さよりも大きくなるように形成されている。
【００２４】
また、本実施形態では、円筒状に形成された透明板１０２の前面の下端部１０２ｂが他の部分よりも下方に長く形成されており、この防虫カバー１０４を被った人の下方の視界も十分に確保するように形成している。
【００２５】
透明板１０２の上方には、ネット材により形成された頭部１０１が形成されており、その頭頂部には、ヘルメット１０６に嵌合するように貫通孔１０７が設けられている。
【００２６】
頭部１０１の貫通孔１０７側の縁部１０８は、ゴムにより形成されており、貫通孔１０７にヘルメット１０６を嵌合させた場合に、ヘルメット１０６と縁部１０８との間に隙間が生じないようにされている。
【００２７】
なお、この縁部１０８については、図２の縦断面図に表されているように、第一の頭部２０９と第二の頭部２１０とにより形成し、この第一の頭部２０９と第二の頭部２１０との間にヘルメット１０６の鍔１０６ａを挟み込むようにすることもできる。
【００２８】
このように、第一の頭部２０９と第二の頭部２１０との間にヘルメット１０６の鍔１０６ａを挟み込むようにすることで、ヘルメット１０６とこれらの第一の頭部２０９及び第二の頭部２１０との間から虫が進入することを防止することができる。
【００２９】
なお、第一の頭部２０９の縁部２０８についてもゴムにより形成されており、第一の頭部２０９と第二の頭部２１０との間にヘルメット１０６の鍔１０６ａを挟み込んだ場合でも、ヘルメット１０６と第一の頭部２０９の縁部２０８との間に隙間が生じないようにされている。
【００３０】
透明板１０２の下方には、ネット材による防虫カバー本体１０３が設けられている。
【００３１】
本実施形態では、防虫カバー本体１０３の前面１０３ａ及び背面１０３ｂの両方ともネット材で形成しているが、防虫カバー本体１０３の背面１０３ｂについては樹脂でコーティングされた防水布で形成することにより、雨等により濡れてしまうことを防止することもできる。
【００３２】
ここで、頭部１０１及び防虫カバー本体１０３を形成しているネット材については、虫の進入を防止することができる程度の細かさで編み込まれていればよい。
【００３３】
防虫カバー１０４は、頭部１０１、透明板１０２及び防虫カバー本体１０３により構成されているが、これらは全てファスナー２１１Ａ、２１１Ｂにより着脱自在にされており、汚れたり破損した場合にパーツ毎に取り替えることができるようにされている。
【００３４】
また、防虫カバー本体１０３と防虫服本体１０５ともファスナー２１１Ｃにより着脱自在にされている。
【００３５】
以上のように、本発明の一実施形態に係る防虫服１００を構成したので、防虫服１００を着用した人の視界を３６０°確保することができる。
【００３６】
【発明の効果】
以上のように、本発明によれば、側方や後方の視界を確保することができる防虫カバー及び防虫服を提供することができる。
【図面の簡単な説明】
【図１】一実施形態に係る防虫服１００の上方斜視図。
【図２】頭部１０１の変形例。
【符号の説明】
１００  防虫服
１０１  頭部
１０２  透明板
１０３  防虫カバー本体
１０４  防虫カバー
１０５  防虫服本体
１０６  ヘルメット
１０７  貫通孔
１０８  縁部
２０９  第一の頭部
２１０  第二の頭部
２１１  ファスナー
【図１】
2004204390.tif 000003
【図２】
2004204390.tif 000004